(57)【要約】  本開示は、モバイルデバイス及びそのスクリーンモジュール、指紋採取方法及び装置、並びに電子デバイスに関する。該スクリーンモジュールは、前記スクリーンモジュールのコンテンツ表示領域内に位置しており、指紋採取を行うための指紋センサと、データ伝送線路であって、前記データ伝送線路の第１端及び第２端が前記指紋センサ及び前記モバイルデバイス内の処理コンポーネントにそれぞれ接続されており、前記指紋センサによって採取された指紋データを前記処理コンポーネントに伝送するためのデータ伝送線路とを含んでいてもよい。本開示の技術的解決手段により、モバイルデバイスの構造を簡略化して、指紋採取工程を最適化することができる。【選択図】図３
2017538172.tif 000002
【特許請求の範囲】
【請求項１】
モバイルデバイスのスクリーンモジュールであって、
前記スクリーンモジュールのコンテンツ表示領域内に位置しており、指紋採取を行うための指紋センサと、
データ伝送線路であって、前記データ伝送線路の第１端及び第２端が前記指紋センサ及び前記モバイルデバイス内の処理コンポーネントにそれぞれ接続されており、前記指紋センサによって採取された指紋データを前記処理コンポーネントに伝送するためのデータ伝送線路と
を含む、スクリーンモジュール。
【請求項２】
ＬＣＤ表示モジュールをさらに含み、
前記指紋センサの鉛直方向の投影が、前記ＬＣＤ表示モジュールのサブピクセルのブラックマトリクス領域の鉛直方向の投影内に位置している、請求項１に記載のスクリーンモジュール。
【請求項３】
前記指紋センサが、前記ＬＣＤ表示モジュールのカラーフィルタの表面に設置されている、請求項２に記載のスクリーンモジュール。
【請求項４】
前記スクリーンモジュールが、複数の指紋センサを包含しており、前記複数の指紋センサが、前記スクリーンモジュールの予め設定された領域内において互いに隣り合って設置されている、請求項２に記載のスクリーンモジュール。
【請求項５】
前記指紋センサが、前記コンテンツ表示領域に配置されている、請求項１に記載のスクリーンモジュール。
【請求項６】
前記スクリーンモジュール内の前記指紋センサが、前記データ伝送線路と１対１に対応している、請求項１に記載のスクリーンモジュール。
【請求項７】
前記スクリーンモジュール内の前記データ伝送線路の数が、前記指紋センサの数よりも少なく、前記スクリーンモジュールが、
ゲート制御線路であって、前記ゲート制御線路の第１端及び第２端が前記指紋センサ及び前記モバイルデバイス内の制御コンポーネントにそれぞれ接続されており、前記指紋センサと少なくとも１つの他の指紋センサとが同一のデータ伝送線路に接続されているゲート制御線路をさらに含み、
前記ゲート制御線路が、前記制御コンポーネントの制御命令に基づいて、前記同一のデータ伝送線路が同一時点に１つの指紋センサのみに接続するように、前記同一のデータ伝送線路と接続又は切断するように前記指紋センサを制御する、請求項１に記載のスクリーンモジュール。
【請求項８】
前記指紋センサの出力端が、スイッチング素子を介して、前記同一のデータ伝送線路に接続され、前記ゲート制御線路が、前記スイッチング素子の制御端に接続されている、請求項７に記載のスクリーンモジュール。
【請求項９】
前記スクリーンモジュールの第１辺縁方向への指紋センサの列が、同一の前記データ伝送線路に接続されており、
前記スクリーンモジュールの第２辺縁方向への指紋センサの列が、同一の前記ゲート制御線路に接続されており、
前記第１辺縁方向が前記第２辺縁方向に対して垂直である、請求項７に記載のスクリーンモジュール。
【請求項１０】
前記指紋センサが、ノーマリーオン状態を維持している、請求項１に記載のスクリーンモジュール。
【請求項１１】
前記指紋センサが、ノーマリーオフ状態を維持しており、前記スクリーンモジュールが、
ユーザからの前記スクリーンモジュール上のトリガ操作及び前記トリガ操作に対応するトリガ領域を検出するように構成されたトリガ検出機構をさらに含み、
前記トリガ検出機構が前記トリガ操作を検出した場合に、前記トリガ領域内の前記指紋センサが、前記ノーマリーオフ状態からオン状態に切り替わる、請求項１に記載のスクリーンモジュール。
【請求項１２】
前記トリガ検出機構が、前記スクリーンモジュール内のタッチ機能アセンブリを含み、前記トリガ操作は、前記タッチ機能アセンブリによって検出されるタッチ操作である、請求項１１に記載のスクリーンモジュール。
【請求項１３】
前記トリガ検出機構が、圧力検出アセンブリを含み、前記トリガ操作は、前記圧力検出アセンブリによって検出される押圧操作である、請求項１１に記載のスクリーンモジュール。
【請求項１４】
請求項１〜１３のいずれか１項に記載のモバイルデバイスのスクリーンモジュールを含んでいるモバイルデバイス。
【請求項１５】
請求項１〜１３のいずれか１項に記載のモバイルデバイスのスクリーンモジュールに適用される指紋採取方法であって、
ユーザからの前記スクリーンモジュール上のトリガ操作を検出することと、
前記トリガ操作に対応するトリガ領域を確定することと、
前記トリガ領域に対応する前記スクリーンモジュールの位置に指紋センサが設けられている場合に、前記トリガ領域において指紋採取を行うことと
を含む、方法。
【請求項１６】
前記ユーザからの前記スクリーンモジュール上のトリガ操作を検出することが、
前記スクリーンモジュール内にタッチ機能アセンブリが含まれている場合に、前記ユーザからの前記スクリーンモジュール上のタッチ操作を検出することを含む、請求項１５に記載の方法。
【請求項１７】
前記ユーザからの前記スクリーンモジュール上のトリガ操作を検出することが、
前記スクリーンモジュール内に圧力検出アセンブリが含まれている場合に、前記ユーザからの前記スクリーンモジュール上の押圧操作を検出することを含む、請求項１５に記載の方法。
【請求項１８】
前記指紋センサが、前記スクリーンモジュールのコンテンツ表示領域に配置されている、請求項１５に記載の方法。
【請求項１９】
請求項１〜１３のいずれか１項に記載のモバイルデバイスのスクリーンモジュールに適用される指紋採取装置であって、
ユーザからの前記スクリーンモジュール上のトリガ操作を検出するように構成された検出ユニットと、
前記トリガ操作に対応するトリガ領域を確定するように構成された確定ユニットと、
前記トリガ領域に対応する前記スクリーンモジュールの位置に指紋センサが設けられている場合に、前記トリガ領域において指紋採取を行うように構成された採取ユニットと
を含む、装置。
【請求項２０】
前記検出ユニットが、
前記スクリーンモジュール内にタッチ機能アセンブリが含まれている場合に、前記ユーザからの前記スクリーンモジュール上のタッチ操作を検出するように構成されたタッチ検出サブユニットを含む、請求項１９に記載の装置。
【請求項２１】
前記検出ユニットが、
前記スクリーンモジュール内に圧力検出アセンブリが含まれている場合に、前記ユーザからの前記スクリーンモジュール上の押圧操作を検出するように構成された圧力検出サブユニットを含む、請求項１９に記載の装置。
【請求項２２】
前記指紋センサが、前記スクリーンモジュールのコンテンツ表示領域に配置されている、請求項１９に記載の装置。
【請求項２３】
請求項１〜１３のいずれか１項に記載のモバイルデバイスのスクリーンモジュールを含んでいる電子デバイスであって、
プロセッサと、
前記プロセッサにより実行可能な命令を保存するためのメモリと
をさらに含んでおり、
前記プロセッサは、
ユーザからの前記スクリーンモジュール上のトリガ操作を検出し、
前記トリガ操作に対応するトリガ領域を確定し、
前記トリガ領域に対応する前記スクリーンモジュールの位置に指紋センサが設けられている場合に、前記トリガ領域において指紋採取を行う
ように構成されている、電子デバイス。
【発明の詳細な説明】
【技術分野】
【０００１】
関連出願の相互参照
本出願は、２０１５年８月１３日に中国国家知識産権局に出願された中国特許出願第２０１５１０４９８５４４．Ｘ号に基づくものであると共に、該中国特許出願の優先権を主張するものであり、該中国特許出願の全ての内容が、参照により本出願に組み込まれる。
【０００２】
技術分野
本開示は、概して指紋採取技術分野に関し、より具体的には、モバイルデバイスのスクリーンモジュール及びモバイルデバイスに関する。
【背景技術】
【０００３】
ユーザの指紋を採取及び識別することによってユーザアイデンティティを識別するために、ますます多くのモバイルデバイスが指紋センサを搭載するようになってきている。そのため、モバイルデバイスの機能スイッチ制御を実現することがさらに容易となっている。
【発明の概要】
【発明が解決しようとする課題】
【０００４】
本開示は、関連技術における欠点を解決するための、モバイルデバイスのスクリーンモジュール及びモバイルデバイスを提供する。
【課題を解決するための手段】
【０００５】
本開示における実施形態の第一態様によれば、モバイルデバイスのスクリーンモジュールが提供され、該スクリーンモジュールは、
前記スクリーンモジュールのコンテンツ表示領域内に位置しており、指紋採取を行うための指紋センサと、
データ伝送線路であって、前記データ伝送線路の第１端及び第２端が前記指紋センサ及び前記モバイルデバイス内の処理コンポーネントにそれぞれ接続されており、前記指紋センサによって採取された指紋データを前記処理コンポーネントに伝送するためのデータ伝送線路と
を含んでいる。
【０００６】
選択的には、スクリーンモジュールは、さらに、ＬＣＤ表示モジュールをさらに含んでおり、
前記指紋センサの鉛直方向の投影が、前記ＬＣＤ表示モジュールのサブピクセルのブラックマトリクス領域の鉛直方向の投影内に位置している。
【０００７】
選択的には、前記指紋センサが、前記ＬＣＤ表示モジュールのカラーフィルタの表面に設置されている。
【０００８】
選択的には、前記指紋センサが、前記コンテンツ表示領域に配置されている。
【０００９】
選択的には、前記スクリーンモジュールが、複数の指紋センサを包含しており、前記複数の指紋センサが、前記スクリーンモジュールの予め設定された領域内において互いに隣り合って設置されている。
【００１０】
選択的には、前記スクリーンモジュール内の前記指紋センサが、前記データ伝送線路と１対１に対応している。
【００１１】
選択的には、前記スクリーンモジュール内の前記データ伝送線路の数が、前記指紋センサの数よりも少なく、前記スクリーンモジュールが、
ゲート制御線路であって、前記ゲート制御線路の第１端及び第２端が前記指紋センサ及び前記モバイルデバイス内の制御コンポーネントにそれぞれ接続されており、前記指紋センサと少なくとも１つの他の指紋センサとが同一のデータ伝送線路に接続されているゲート制御線路をさらに含んでおり、
前記ゲート制御線路が、前記制御コンポーネントの制御命令に基づいて、前記同一のデータ伝送線路が同一時点に１つの指紋センサのみに接続するように、前記同一のデータ伝送線路と接続又は切断するように前記指紋センサを制御する。
【００１２】
選択的には、前記指紋センサの出力端が、スイッチング素子を介して、前記同一のデータ伝送線路に接続され、前記ゲート制御線路が、前記スイッチング素子の制御端に接続されている。
【００１３】
選択的には、
前記スクリーンモジュールの第１辺縁方向への指紋センサの列が、同一の前記データ伝送線路に接続されており、
前記スクリーンモジュールの第２辺縁方向への指紋センサの列が、同一の前記ゲート制御線路に接続されており、前記第１辺縁方向が前記第２辺縁方向に対して垂直である。
【００１４】
選択的には、前記指紋センサが、ノーマリーオン状態を維持している。
【００１５】
選択的には、前記指紋センサが、ノーマリーオフ状態を維持しており、前記スクリーンモジュールが、
ユーザからの前記スクリーンモジュール上のトリガ操作及び前記トリガ操作に対応するトリガ領域を検出するように構成されたトリガ検出機構をさらに含み、
前記トリガ検出機構が前記トリガ操作を検出した場合に、前記トリガ領域内の前記指紋センサが、前記ノーマリーオフ状態からオン状態に切り替わる。
【００１６】
選択的には、前記トリガ検出機構が、前記スクリーンモジュール内のタッチ機能アセンブリを含み、前記トリガ操作は、前記タッチ機能アセンブリによって検出されるタッチ操作である。
【００１７】
選択的には、前記トリガ検出機構が、圧力検出アセンブリを含み、前記トリガ操作は、前記圧力検出アセンブリによって検出される押圧操作である。
【００１８】
本開示における実施形態の第二態様によれば、上述の実施形態の任意の１つにおけるモバイルデバイスのスクリーンモジュールを含んでいるモバイルデバイスが提供される。
【００１９】
本開示における実施形態の第三態様によれば、上述の実施形態の任意の１つにおけるモバイルデバイスのスクリーンモジュールに適用される指紋採取方法であって、該方法は、
ユーザからの前記スクリーンモジュール上のトリガ操作を検出することと、
前記トリガ操作に対応するトリガ領域を確定することと、
前記トリガ領域に対応する前記スクリーンモジュールの位置に指紋センサが設けられている場合に、前記トリガ領域において指紋採取を行うことと
を含んでいる。
【００２０】
選択的には、前記ユーザからの前記スクリーンモジュール上のトリガ操作を検出することが、
前記スクリーンモジュール内にタッチ機能アセンブリが含まれている場合に、前記ユーザからの前記スクリーンモジュール上のタッチ操作を検出することを含んでいる。
【００２１】
選択的には、前記ユーザからの前記スクリーンモジュール上のトリガ操作を検出することが、
前記スクリーンモジュール内に圧力検出アセンブリが含まれている場合に、前記ユーザからの前記スクリーンモジュール上の押圧操作を検出することを含んでいる。
【００２２】
選択的には、前記指紋センサが、前記スクリーンモジュールのコンテンツ表示領域に配置されている。
【００２３】
本開示における実施形態の第四態様によれば、上述の実施形態の任意の１つにおけるモバイルデバイスのスクリーンモジュールに適用される指紋採取装置であって、該装置は、
ユーザからの前記スクリーンモジュール上のトリガ操作を検出するように構成された検出ユニットと、
前記トリガ操作に対応するトリガ領域を確定するように構成された確定ユニットと、
前記トリガ領域に対応する前記スクリーンモジュールの位置に指紋センサが設けられている場合に、前記トリガ領域において指紋採取を行うように構成された採取ユニットと
を含んでいる。
【００２４】
選択的には、前記検出ユニットが、
前記スクリーンモジュール内にタッチ機能アセンブリが含まれている場合に、前記ユーザからの前記スクリーンモジュール上のタッチ操作を検出するように構成されたタッチ検出サブユニットを含んでいる。
【００２５】
選択的には、前記検出ユニットが、
前記スクリーンモジュール内に圧力検出アセンブリが含まれている場合に、前記ユーザからの前記スクリーンモジュール上の押圧操作を検出するように構成された圧力検出サブユニットを含んでいる。
【００２６】
選択的には、前記指紋センサが、前記スクリーンモジュールのコンテンツ表示領域に配置されている。
【００２７】
本開示における実施形態の第五態様によれば、上述の実施形態の任意の１つにおけるモバイルデバイスのスクリーンモジュールを含んでいる電子デバイスが提供される。該電子デバイスは、
プロセッサと、
前記プロセッサにより実行可能な命令を保存するためのメモリと
をさらに含んでおり、
前記プロセッサは、
ユーザからの前記スクリーンモジュール上のトリガ操作を検出し、
前記トリガ操作に対応するトリガ領域を確定し、
前記トリガ領域に対応する前記スクリーンモジュールの位置に指紋センサが設けられている場合に、前記トリガ領域において指紋採取を行う
ように構成されている。
【００２８】
本開示の実施形態により提供される技術的解決手段は、以下の有利な効果を有し得る。
【００２９】
上述の実施形態から理解されるように、本開示は、指紋センサをモバイルデバイスのスクリーンモジュールのコンテンツ表示領域に配置することにより、モバイルデバイスのシェル上に孔を開けることを避けることができ、追加の積層構造を増やす必要もなく、モバイルデバイスの構造を簡略化するのに役立つ。
【００３０】
上述の一般的説明及び後述の詳細な説明は、単なる例示及び説明であって、本開示を限定するように解釈されるものではないことを理解されたい。
【図面の簡単な説明】
【００３１】
添付の図面は、本明細書に組み込まれると共に本明細書の一部を構成し、本開示に一致する実施形態を示しており、本明細書と共に本開示の原理を説明するのに役立つ。
【００３２】
【図１】図１は、関連技術のモバイルデバイスを表す模式図である。
【図２】図２は、関連技術のモバイルデバイスを表す模式図である。
【図３】図３は、例示の実施形態に基づくモバイルデバイスのスクリーンモジュールを立体的に表す模式図である。
【図４】図４は、例示の実施形態に基づくモバイルデバイスのスクリーンモジュールのＬＣＤ表示モジュールを表す模式図である。
【図５】図５は、例示の実施形態に基づくモバイルデバイスのスクリーンモジュールのＬＣＤ表示モジュールを表す模式図である。
【図６】図６は、例示の実施形態に基づく別のモバイルデバイスのスクリーンモジュールを表す模式図である。
【図７】図７は、例示の実施形態に基づく指紋センサの配置を表す模式図である。
【図８】図８は、例示の実施形態に基づく指紋採取方法を表すフローチャートである。
【図９】図９は、例示の実施形態に基づくまた別のモバイルデバイスのスクリーンモジュールを表す模式図である。
【図１０】図１０は、例示の実施形態に基づくまた別のモバイルデバイスのスクリーンモジュールを表す模式図である。
【図１１】図１１は、例示の実施形態に基づく指紋採取装置のブロック図である。
【図１２】図１２は、例示の実施形態に基づく指紋採取装置のブロック図である。
【図１３】図１３は、例示の実施形態に基づく指紋採取装置のブロック図である。
【図１４】図１４は、例示の実施形態に基づく指紋採取用の装置を表す模式図である。
【発明を実施するための形態】
【００３３】
以下、例示の実施形態について詳細に説明し、その例示を添付の図面中に示す。以下の説明が添付の図面に言及する際には、他に述べられていない限り、異なる図面における同一の数字は同一又は類似の要素を示す。例示の実施形態に係る以下の説明にて明示される実施方式は、本開示と一致する全ての実施方式を表すものではない。むしろ、それらは、添付の特許請求の範囲に詳述されるような、本発明に関するいくつかの態様と一致する装置及び方法の単なる例である。
【００３４】
図１は、関連技術のモバイルデバイスを表す模式図である。図１に示すように、関連技術における技術的解決手段では、指紋センサ１がモバイルデバイスの背面に設置されている。しかしながら、この配置には、以下に示す技術的問題がある。一方では、指紋センサ１を設置するために、モバイルデバイスのバックプレート上に孔を開ける必要があり、そのためバックプレートの統一性を壊し、バックプレートの美観及び強度に影響してしまう。他方では、ユーザは、モバイルデバイスの正面のスクリーン表示コンテンツと背面の指紋センサ１とに対して同時に注意を払うことができないため、ユーザエクスペリエンスに影響してしまう。
【００３５】
図２は、関連技術の別のモバイルデバイスを表す模式図である。図２に示すように、関連技術における別の技術的解決手段では、指紋センサ１がモバイルデバイスの前面の物理キー上に設置されている。このようにして、図１に示される欠点は克服したものの、追加の積層構造を物理キー上に付加する必要があるため、構造上の複雑さが増加してしまう。
【００３６】
したがって、本開示は、モバイルデバイスの構造を改良することによって、関連技術に存在する技術的問題を解決する。
【００３７】
図３は、例示の実施形態に基づくモバイルデバイスのスクリーンモジュールを表す模式図である。図３に示すように、該スクリーンモジュールは、指紋センサ１と、データ伝送線路２とを含んでいる。
【００３８】
指紋センサ１は、スクリーンモジュールのコンテンツ表示領域１０内に位置しており、指紋採取を実行するためのものである。
【００３９】
データ伝送線路２の第１端及び第２端は、指紋センサ１及びモバイルデバイス内の処理コンポーネント３にそれぞれ接続されており、指紋センサ１によって採取された指紋データを処理コンポーネント３に伝送するためのものである。
【００４０】
本実施形態において、コンテンツ表示領域１０とは、スクリーンモジュール上においてコンテンツ表示機能を実現するように構成された領域を示しており、例えば、スクリーンモジュールに対応するＬＣＤ表示モジュール（図３において図示しない）のＶＡ（View Area，ビューエリア）である。
【００４１】
本実施形態では、指紋センサ１をモバイルデバイスのスクリーンモジュールのコンテンツ表示領域１０内に設置することにより、指紋センサ１とコンテンツ表示領域１０内の表示コンテンツとを同一領域に位置させることができ、ユーザはコンテンツ表示領域１０内の表示コンテンツを見ると同時に、指紋センサ１を介して指紋採取操作を行うことができる。
【００４２】
さらに、指紋センサ１がスクリーンモジュール内に設置されているため、モバイルデバイスの物理キー上に積層構造を増やす必要がない。このことは、モバイルデバイスの構造を簡略化して複雑さを下げるのに役立つ。
【００４３】
１．指紋センサ１及びＬＣＤ表示モジュール
例示の実施形態としては、指紋センサ１は、透明材料を用いて作製されてもよく、それによってＬＣＤ表示モジュール４（図４参照）のコンテンツ表示に影響を及ぼすことを避けることができる。
【００４４】
別の例示の実施形態としては、指紋センサ１の体積を小さくすることにより、ユーザがモバイルデバイスを使用している間に、指紋センサ１を肉眼では識別できないようにしてもよく、それによってそれによってＬＣＤ表示モジュール４のコンテンツ表示に影響を及ぼすことを避けることができる。
【００４５】
また別の例示の実施形態としては、図４に示すように、スクリーンモジュール内のＬＣＤ表示モジュール４が、以下を含んでいてもよい：バックライト４１、下方偏光子４２、アレイガラス基板４３、液晶層４４、カラーフィルタ４５及び上方偏光子４６等。カラーフィルタ４５上には、赤（Ｒ，red）、緑（Ｇ，green）、青（Ｂ，blue）のサブピクセルが形成されている。
【００４６】
図４の部分拡大図を参照して、赤色サブピクセル１つを例に挙げる。該サブピクセルの領域全体のうち、左下のピクセル領域４５１のみが対応する赤色コンテンツを表示するために用いられており、例えば右上（例示であって、他の位置でもよい）のＢＭ（Black Matrix，ブラックマトリクス）領域４５４は、コンテンツ表示には全く用いられていない。
【００４７】
したがって、指紋センサ１の鉛直方向の投影は、ＬＣＤ表示モジュール４のサブピクセルのＢＭ領域４５４の鉛直方向の投影内に位置させられてもいてよく、それによってＬＣＤ表示モジュール４のコンテンツ表示に影響を及ぼすことを避けることができる。
【００４８】
２．設置位置
指紋センサ１の鉛直方向の投影がＬＣＤ表示モジュール４のサブピクセルのＢＭ領域４５４の鉛直方向の投影内に位置している時、例示の実施形態としては、図５に示すように、指紋センサ１は、カラーフィルタ４５の表面に直接設置されると共にＢＭ領域４５４（図４参照、図５には示さず）内に位置していてもよい。指紋センサ１がＬＣＤ表示モジュール４内部に設置されるため、ＬＣＤ表示モジュール４を他のコンポーネントと接着させる等のＬＣＤ表示モジュール４の組立工程に対して影響を与えることはない。
【００４９】
３．配置方式
モバイルデバイスのスクリーンモジュールは、複数の指紋センサ１を含んでいてもよい。図６に示す例では、合計１６個の指紋センサ１が設置されている。複数の指紋センサ１は、互いに隣り合って配置されて１つの指紋識別アレイ５となっている。該指紋識別アレイ５は、コンテンツ表示領域１０の任意の位置に位置していてもよい。例えば図６中では、該アレイ５は、コンテンツ表示領域１０の中央位置に位置しており、ユーザの指紋の採取及び識別を併せて行うように構成されている。
【００５０】
当然ながら、図６中の矩形アレイ５は単なる例示の実施形態であって、複数の指紋センサ１は、任意の方式で配置されてもよく、本開示では限定されない。
【００５１】
４．データ伝送方式
例示の実施形態として、スクリーンモジュールの指紋センサ１は、データ伝送線路２と１対１に対応している。それぞれの指紋センサ１は、任意の時点でユーザの指紋の採取を行ってもよく、採取した指紋データを、データ伝送線路２を介して処理コンポーネント３に伝送してもよい。
【００５２】
別の例示の実施形態としては、データ伝送線路２の数を減らして線路を簡略化するために、複数の指紋センサ１はデータ伝送線路２を共有してもよい。すなわち、スクリーンモジュール内のデータ伝送線路２の数は、指紋センサ１の数よりも少ない。データ伝送線路２の数の方が少ないため、同一のデータ伝送線路２を共有する複数の指紋センサ１は、時分割多重化によって対応する指紋採取データを伝送する。したがって、指紋センサ１がデータ伝送線路２を占有する時間を制御する必要がある。
【００５３】
図７に示すように、スクリーンモジュールにおける指紋センサ１が、それぞれスクリーンモジュールの辺縁方向に順次配列されていると仮定する。すなわち、指紋センサ１１１、１１２，１１３が第１辺縁方向（すなわち横への辺縁方向）の第１行に並べられ、指紋センサ１２１、１２２，１２３が横への辺縁方向の第２行に並べられ、指紋センサ１３１、１３２，１３３が横への辺縁方向の第３行に並べられ、指紋センサ１１１、１２１，１３１が第２辺縁方向（すなわち縦への辺縁方向）の第１列に並べられ、指紋センサ１１２、１２２，１３２が縦への辺縁方向の第２列に並べられ、指紋センサ１１３、１２３，１３３が縦への辺縁方向の第３列に並べられている。したがって、スクリーンモジュールは、ゲート制御線路６をさらに含んでいてもよい。
【００５４】
本実施形態では、ゲート制御線路６は、３つのゲート制御線路（ゲート制御線路６１、６２及び６３）を含んでいる。ゲート制御線路６の第１端及び第２端は、指紋センサ１（本実施形態では、上述の９つの指紋センサ１１１、１１２、１１３、１２１、１２２、１２３、１３１、１３２、１３３）及びモバイルデバイス内の制御コンポーネント７にそれぞれ接続されている。
【００５５】
指紋センサ１と少なくとも１つの他の指紋センサとが同一のデータ伝送線路２（本実施形態では、上述のデータ伝送線路２１、２２及び２３を含んでいる）に接続されている場合、例えば、指紋センサ１１１、１２１及び１３１がデータ伝送線路２１に接続されている場合には、ゲート制御線路６１、６２及び６３は、制御コンポーネント７の制御命令に基づいて、同一のデータ伝送線路２１と接続又は切断するように指紋センサ１１１、１２１及び１３１を制御することができ、それによってデータ伝送線路２１が同一時点にて指紋センサ１１１、１２１及び１３１の任意の１つのみに接続するようにさせる。
【００５６】
スイッチング素子８のスイッチ制御を実現するために、複数の指紋センサ１の出力端はそれぞれ、スイッチング素子８を介して同一のデータ伝送線路２に接続されてもよく、ゲート制御線路６は、スイッチング素子８の制御端（図７の上端）に接続されてもよい。
【００５７】
図７に示す実施形態では、スクリーンモジュールの第１辺縁方向への各列における指紋センサ１は、同一のデータ伝送線路２に接続されている。また、スクリーンモジュールの第２辺縁方向への各列における指紋センサ１は、同一のゲート制御線路２に接続されている。ここで、第１辺縁方向は、第２辺縁方向に対して垂直であり、例えば、第１辺縁方向は縦への方向であり、第２辺縁方向は横への方向である。そして、制御コンポーネント７は、ゲート制御線路６１、６２及び６３を順次オンにするように制御してもよい。ゲート制御線路６１がオンにされるように制御され、ゲート制御線路６２及び６３がオフにされるように制御されている時、指紋センサ１１１、１１２及び１１３はそれぞれ、データ伝送線路２１、２２及び２３を介してデータ伝送を行う。ゲート制御線路６２がオンにされるように制御され、ゲート制御線路６１及び６３がオフにされるように制御されている時、指紋センサ１２１、１２２及び１２３はそれぞれ、データ伝送線路２１、２２及び２３を介してデータ伝送を行う。ゲート制御線路６３がオンにされるように制御され、ゲート制御線路６１及び６２がオフにされるように制御されている時、指紋センサ１３１、１３２及び１３３はそれぞれ、データ伝送線路２１、２２及び２３を介してデータ伝送を行う。
【００５８】
当然ながら、図７は単なる例示の実施形態であって、複数の指紋センサ１は、任意の方式で配列されてもよく、データ伝送線路２及びゲート制御線路６が対応して調整され、本開示では限定されない。
【００５９】
なお、本開示における処理コンポーネント３及び制御コンポーネント７のそれぞれは、ＭＣＵ（Microcontroller Unit、マイクロコントローラユニット）のような単一の処理チップであってもよく、処理機能又は制御機能を実行する複数のコンポーネントにより構成されたモジュールであってもよく、処理コンポーネント３及び制御コンポーネント７の両方の機能を備えた同一のチップ又はモジュールであってもよく、本開示では限定されない。
【００６０】
上述の実施形態のモバイルデバイスのスクリーンモジュールに基づき、本開示はさらに対応する指紋採取方法の解決手段を提供し、以下において詳細に説明する。
【００６１】
図８は、例示の実施形態に基づく指紋採取方法を表すフローチャートである。図８に示すように、該方法は、上述の実施形態のうち任意の１つの前記モバイルデバイスのスクリーンモジュールに適用される。該方法は、以下のステップを含んでいてもよい。
【００６２】
ステップ８０２では、ユーザからのスクリーンモジュール上のトリガ操作を検出する。
【００６３】
ステップ８０４では、トリガ操作に対応するトリガ領域を確定する。
【００６４】
本実施形態では、スクリーンモジュール内にトリガ検出機構を設置することにより、スクリーンモジュール上のトリガ操作を検出すると共にトリガ操作に対応するトリガ領域を確定することができる。
【００６５】
例示の実施形態としては、スクリーンモジュールがタッチ機能アセンブリを含んでいる場合は、ユーザからのスクリーンモジュール上のタッチ操作を検出するために、該タッチ機能アセンブリがトリガ検出機構として用いられてもよい。例えば、タッチ機能アセンブリは、タッチスクリーン及び対応する伝送線路、並びに制御チップを含んでいてもよい。
【００６６】
別の例示の実施形態としては、スクリーンモジュールが圧力検出アセンブリを含んでいる場合は、ユーザからのスクリーンモジュール上の押圧操作を検出するために、該圧力検出アセンブリがトリガ検出機構として用いられてもよい。例えば、圧力検出アセンブリは、圧力センサ及び対応する伝送線路、並びに制御チップを含んでいてもよい。
【００６７】
当然ながら、上述のタッチ機能アセンブリ及び圧力検出アセンブリは例示の説明として用いられるものであり、トリガ検出機構がその他の機構により実現されてもよいことは明らかであり、本開示では限定されない。
【００６８】
ステップ８０６では、スクリーンモジュールのトリガ領域に対応する位置に指紋センサが設けられている場合に、トリガ領域において指紋採取を行う。
【００６９】
本実施形態では、例示の実施形態として、スクリーンモジュール内に設置された指紋センサ１の電力消費が比較的低い場合は、全ての指紋センサ１がノーマリーオン状態に保たれていてもよく、それにより、ユーザが任意の時点において手指をスクリーンモジュール上の指紋センサ１が設けられた領域に接触させた時に、対応する指紋採取操作が実行されてもよい。
【００７０】
別の実施形態では、指紋センサ１により生じ得る電力消費損失を可能な限り低減するために、特に指紋センサ１の数が多い時には、指紋センサ１がノーマリーオフ状態に保たれると共に、スクリーンモジュール内に設置されたトリガ検出機構と結合させてもよく、指紋センサ１がオンオフを順次切り替えるように制御されて、オン状態の指紋センサ１の数及び該指紋センサがオン状態の対応する時間を減少させてもよい。
【００７１】
図９に示すように、多くの指紋センサ１が１つの比較的大きな面積の矩形アレイに配置されていたとしても、トリガ検出機構がユーザのトリガ操作を検出することにより、該トリガ操作のある間、該矩形アレイ中の指紋センサ１の一部分（図９に示す黒色の指紋センサ１）をオン状態に切り替えて、トリガ操作がなくなった後で該指紋センサ１の一部分をノーマリーオフ状態に戻すことだけが必要であり、したがって、指紋採取を確実にする場合に、電力消費の損失を最大限に低減する。
【００７２】
本実施形態では、図１０に示すように、指紋センサ１をスクリーンモジュールのコンテンツ表示領域１０に配置してもよい。それにより、ユーザが該コンテンツ表示領域１０のどのような位置でトリガ操作を行ったとしても、対応する位置における指紋センサ１が指紋採取を実現することができる。関連技術における、指紋センサ１をモバイル端末の背面に又は前面のキーに設置する技術的解決手段に比べて、本開示の指紋採取領域は、単一のキーの面積の大きさに制限されないことになる。同時に、指紋センサ１がスクリーンモジュールのコンテンツ表示領域１０に位置しているため、このことは「指紋採取」機能領域と「コンテンツ表示」機能領域とを重ねることに相当する。そのため、モバイルデバイス上の機能領域を追加的に占有する必要がなく、それによりモバイルデバイスの長さ規格及び厚み規格を小さくして、モバイルデバイスのさらなる軽量化及び薄型化を容易にする。
【００７３】
同時に、ユーザについて、指紋採取操作が行われている時、スクリーンモジュールのコンテンツ表示領域１０はユーザの単一の手指の面積よりもはるかに大きいため、指紋センサ１の設置位置を「見つける」必要がなく、手指をスクリーンモジュールのコンテンツ表示領域１０の任意の位置に置くだけで、指紋採取操作を実現することができる。
【００７４】
前述の指紋採取方法の実施形態に対応して、本開示はさらに、指紋採取装置の実施形態も提供する。
【００７５】
図１１は、例示の実施形態に基づく指紋採取装置のブロック図である。図１１を参照して、該装置は、上述の実施形態のうち任意の１つの前記モバイルデバイスのスクリーンモジュールに適用される。該装置は、検出ユニット１１０１と、確定ユニット１１０２と、採取ユニット１１０３とを含んでいる。
【００７６】
検出ユニット１１０１は、ユーザからのスクリーンモジュール上のトリガ操作を検出するように構成されている。
【００７７】
確定ユニット１１０２は、トリガ操作に対応するトリガ領域を確定するように構成されている。
【００７８】
採取ユニット１１０３は、トリガ領域に対応するスクリーンモジュールの位置に指紋センサが設けられている場合に、トリガ領域において指紋採取を行うように構成されている。
【００７９】
選択的には、指紋センサは、スクリーンモジュールのコンテンツ表示領域に配置されている。
【００８０】
図１２は、例示の実施形態に基づく別の指紋採取装置のブロック図である。該実施形態では、前述の図１１を基礎として、検出ユニット１１０１が、タッチ検出サブユニット１１０１Ａを含んでいる。
【００８１】
タッチ検出サブユニット１１０１Ａは、スクリーンモジュール内にタッチ機能アセンブリが含まれている場合に、ユーザからのスクリーンモジュール上のタッチ操作を検出するように構成されている。
【００８２】
図１３は、例示の実施形態に基づく別の指紋採取装置のブロック図である。該実施形態では、前述の図１１を基礎として、検出ユニット１１０１が、圧力検出サブユニット１１０１Ｂを含んでいる。
【００８３】
圧力検出サブユニット１１０１Ｂは、スクリーンモジュール内に圧力検出アセンブリが含まれている場合に、ユーザからのスクリーンモジュール上の押圧操作を検出するように構成されている。
【００８４】
上述の実施形態における装置に関し、その中の各モジュールの操作を実行するための具体的な方式は、該方法に関する実施形態において詳細に説明されており、ここでは詳述しない。
【００８５】
装置の実施形態は、実質的に方法の実施形態に対応しているため、関連する態様については方法の実施形態についての説明を参照することができる。上述の装置の実施形態は単なる例示であり、本明細書において分離した構成要素として説明されたモジュールは、互いに物理的に分離されていても物理的に分離されていなくてもよく、モジュールとして表された構成要素は、物理的なモジュールであってもなくてもよい。すなわち、それらの構成要素は同一の場所に位置していてもよく、複数のネットワークユニット内に分布していてもよい。本開示の目的を達成するために、実際の要求に応じていくつかの又は全てのモジュールを選択してもよく、このことは、当業者により創作的な作業なしに理解又は実施され得る。
【００８６】
それに伴い、本開示はさらに、プロセッサと、プロセッサにより実行可能な命令を保存するためのメモリとを含んでいる電子デバイスも提供する。該プロセッサは、ユーザからのスクリーンモジュール上のトリガ操作を検出し、該トリガ操作に対応するトリガ領域を確定し、該トリガ領域に対応する該スクリーンモジュールの位置に指紋センサが設けられている場合に、該トリガ領域において指紋採取を行うように構成されている。
【００８７】
それに伴い、本開示はさらに、メモリと、１つ以上のプログラムとを含んでいる端末も提供する。１つ以上のプログラムは、メモリ内に記憶されており、１つ以上のプロセッサにより実行されるように構成されている。１つ以上のプログラムは、以下の操作、すなわち、ユーザからのスクリーンモジュール上のトリガ操作を検出する操作、該トリガ操作に対応するトリガ領域を確定する操作、及び、該トリガ領域に対応する該スクリーンモジュールの位置に指紋センサが設けられている場合に、該トリガ領域において指紋採取を行う操作を実施するための命令を含んでいる。
【００８８】
図１４は、本開示の例示の実施形態に基づく指紋採取装置１４００を表すブロック図である。例えば、装置１４００は、携帯電話、コンピュータ、デジタルブロードキャスト端末、メッセージ送受信デバイス、ゲームコンソール、タブレット、医療機器、健康器具、ＰＤＡ等であってもよい。
【００８９】
図１４を参照すると、装置１４００は、以下の１つ又は複数のコンポーネント、すなわち、処理コンポーネント１４０２、メモリ１４０４、電源コンポーネント１４０６、マルチメディアコンポーネント１４０８、オーディオコンポーネント１４１０、入力／出力（Ｉ／Ｏ）インタフェース１４１２、センサコンポーネント１４１４及び通信コンポーネント１４１６を含んでいてもよい。
【００９０】
処理コンポーネント１４０２は、典型的には、装置１４００の全体的な操作、例えば、表示、電話呼出し、データ通信、カメラ操作及び記録操作に関する操作などを制御する。処理コンポーネント１４０２は、上述の方法におけるステップの全部又は一部を実施するための命令を実行する１つ又は複数のプロセッサ１４２０を含んでいてもよい。さらに、処理コンポーネント１４０２は、処理コンポーネント１４０２と他のコンポーネントとの間の対話を容易にする１つ又は複数のモジュールを含んでいてもよい。例えば、処理コンポーネント１４０２は、マルチメディアコンポーネント１４０８と処理コンポーネント１４０２との間の対話を容易にするマルチメディアモジュールを含んでいてもよい。
【００９１】
メモリ１４０４は、装置１４００の操作をサポートするための種々のタイプのデータを保存するように構成されている。このようなデータの例には、装置１４００上において操作される任意のアプリケーション又は方法のための命令、連絡先データ、電話帳データ、メッセージ、ピクチャ、ビデオ等が含まれる。メモリ１４０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【００９２】
電源コンポーネント１４０６は、装置１４００の種々のコンポーネントに電力を供給する。電源コンポーネント１４０６は、電源管理システム、１つ又は複数の電源、及び、装置１４００において電力を生成、管理及び分配することに関する任意の他のコンポーネントを含んでいてもよい。
【００９３】
マルチメディアコンポーネント１４０８は、装置１４００とユーザとの間に出力インタフェースを提供するスクリーンを含む。いくつかの実施形態では、スクリーンは液晶ディスプレイ（ＬＣＤ）及びタッチパネル（ＴＰ）を含んでいてもよい。スクリーンがタッチパネルを含んでいる場合には、スクリーンはユーザからの入力信号を受信するためのタッチスクリーンとして実装されていてもよい。タッチパネルは、タッチ、スワイプ及びタッチパネル上における他のジェスチャを感知するための１つ又は複数のタッチセンサを含む。上記タッチセンサは、タッチ又はスワイプ動作の境界を感知してもよく、それだけでなくタッチ又はスワイプ動作に関する持続時間及び圧力を感知してもよい。いくつかの実施形態では、マルチメディアコンポーネント１４０８は、前面カメラ及び／又は背面カメラを含む。装置１４００が撮影モード又はビデオモードのような動作モードにある際には、前面カメラ及び背面カメラは、外部マルチメディアデータを受信してもよい。前面カメラ及び背面カメラはそれぞれ、固定式光学レンズシステムであってもよく、フォーカス機能及び光学ズーム機能を有していてもよい。
【００９４】
オーディオコンポーネント１４１０は、オーディオ信号を出力及び／又は入力するように構成されている。例えば、オーディオコンポーネント１４１０はマイク（ＭＩＣ）を含んでおり、該マイクは、装置１４００が呼出しモード、記録モード及び音声認識モードのような動作モードにある際に、外部オーディオ信号を受信するように構成されている。受信されたオーディオ信号は、さらに、メモリ１４０４内に保存されてもよく、通信コンポーネント１４１６を経由して送信されてもよい。いくつかの実施形態では、オーディオコンポーネント１４１０は、オーディオ信号を出力するためのスピーカをさらに含んでいてもよい。
【００９５】
Ｉ／Ｏインタフェース１４１２は、処理コンポーネント１４０２と、キーボード、クリックホイール、ボタン等の周辺インタフェースモジュールとの間に、インタフェースを提供する。該ボタンは、限定されないが、ホームボタン、ボリュームボタン、スタートボタン及びロックボタンを含んでいてもよい。
【００９６】
センサコンポーネント１４１４は、装置１４００における種々の様相の状態評価を提供するための１つ又は複数のセンサを含む。例えば、センサコンポーネント１４１４は、装置１４００のオープン／クローズ状態及びコンポーネントの相対位置を検出してもよく、例えば、該コンポーネントは、装置１４００のディスプレイ及びキーパッドであってもよい。センサコンポーネント１４１４はまた、装置１４００又は装置１４００のコンポーネントの位置の変化、装置１４００とコンタクトを取っているユーザの存在又は不存在、装置１４００の向き又は加速／減速、及び装置１４００の温度変化を検出してもよい。センサコンポーネント１４１４は、物理的接触のない状態で近くの物体の存在を検出するように構成された近接センサを含んでいてもよい。センサコンポーネント１４１４はまた、撮影アプリケーションにおいて使用するための、ＣＭＯＳ又はＣＣＤイメージセンサのような光センサを含んでいてもよい。いくつかの実施形態では、センサコンポーネント１４１４はまた、加速度センサ、ジャイロセンサ、磁気センサ、圧力センサ又は温度センサを含んでいてもよい。
【００９７】
通信コンポーネント１４１６は、装置１４００と他の装置との間の有線又は無線の通信を容易にするように構成されている。装置１４００は、ＷｉＦｉ、２Ｇ若しくは３Ｇ、又はそれらの組み合わせのような通信規格に基づく無線ネットワークにアクセスすることができる。例示の一実施形態では、通信コンポーネント１４１６は、ブロードキャストチャンネルを経由して、外部ブロードキャスト管理システムからのブロードキャスト信号又はブロードキャスト関連情報を受信する。例示の一実施形態では、通信コンポーネント１４１６は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、ブルートゥース（ＢＴ）技術及び他の技術に基づいて実装されていてもよい。
【００９８】
例示の実施形態では、装置１４００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【００９９】
例示の実施形態では、命令を含んだメモリ１４０４のような、命令を含んだ非一時的なコンピュータ読み取り可能記憶媒体もまた提供され、上記命令は、上述の方法を実施するために、装置１４００のプロセッサ１４２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【０１００】
当業者は、明細書及び本明細書に開示された本発明の実施を考慮して、本発明の他の実施形態に容易に想到するであろう。本出願は、本発明の任意の変形、使用又は翻案に及ぶことを意図しており、これらの変形、使用又は翻案は、本発明の一般的な原理に従うものであると共に、当該技術分野における公知技術又は慣用技術の範囲内における本開示からの逸脱を含む。明細書及び実施例は単なる例示とみなされ、本発明の真の範囲及び趣旨は以下の特許請求の範囲によって示されることが意図される。
【０１０１】
本発明は、上述の及び添付の図面に図示された厳密な構成に限定されるものではなく、本発明の範囲から逸脱することなく、様々な修正及び変更がなされ得ることを理解されたい。本開示の範囲は、添付の特許請求の範囲によってのみ限定される。
【図１】
2017538172.tif 000003
【図２】
2017538172.tif 000004
【図３】
2017538172.tif 000005
【図４】
2017538172.tif 000006
【図５】
2017538172.tif 000007
【図６】
2017538172.tif 000008
【図７】
2017538172.tif 000009
【図８】
2017538172.tif 000010
【図９】
2017538172.tif 000011
【図１０】
2017538172.tif 000012
【図１１】
2017538172.tif 000013
【図１２】
2017538172.tif 000014
【図１３】
2017538172.tif 000015
【図１４】
2017538172.tif 000016
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
モバイルデバイスのスクリーンモジュールであって、
前記スクリーンモジュールのコンテンツ表示領域内に位置しており、指紋採取を行うための指紋センサと、
データ伝送線路であって、前記データ伝送線路の第１端及び第２端が前記指紋センサ及び前記モバイルデバイス内の処理コンポーネントにそれぞれ接続されており、前記指紋センサによって採取された指紋データを前記処理コンポーネントに伝送するためのデータ伝送線路と
を含む、スクリーンモジュール。
【請求項２】
ＬＣＤ表示モジュールをさらに含み、
前記指紋センサの鉛直方向の投影が、前記ＬＣＤ表示モジュールのサブピクセルのブラックマトリクス領域の鉛直方向の投影内に位置している、請求項１に記載のスクリーンモジュール。
【請求項３】
前記指紋センサが、前記ＬＣＤ表示モジュールのカラーフィルタの表面に設置されている、請求項２に記載のスクリーンモジュール。
【請求項４】
前記スクリーンモジュールが、複数の指紋センサを包含しており、前記複数の指紋センサが、前記スクリーンモジュールの予め設定された領域内において互いに隣り合って設置されている、請求項１〜３のいずれか１項に記載のスクリーンモジュール。
【請求項５】
前記指紋センサが、前記コンテンツ表示領域に配置されている、請求項１〜４のいずれか１項に記載のスクリーンモジュール。
【請求項６】
前記スクリーンモジュール内の前記指紋センサが、前記データ伝送線路と１対１に対応している、請求項１〜５のいずれか１項に記載のスクリーンモジュール。
【請求項７】
前記スクリーンモジュール内の前記データ伝送線路の数が、前記指紋センサの数よりも少なく、前記スクリーンモジュールが、
ゲート制御線路であって、前記ゲート制御線路の第１端及び第２端が前記指紋センサ及び前記モバイルデバイス内の制御コンポーネントにそれぞれ接続されており、前記指紋センサと少なくとも１つの他の指紋センサとが同一のデータ伝送線路に接続されているゲート制御線路をさらに含み、
前記ゲート制御線路が、前記制御コンポーネントの制御命令に基づいて、前記同一のデータ伝送線路が同一時点に１つの指紋センサのみに接続するように、前記同一のデータ伝送線路と接続又は切断するように前記指紋センサを制御する、請求項１〜６のいずれか１項に記載のスクリーンモジュール。
【請求項８】
前記指紋センサの出力端が、スイッチング素子を介して、前記同一のデータ伝送線路に接続され、前記ゲート制御線路が、前記スイッチング素子の制御端に接続されている、請求項７に記載のスクリーンモジュール。
【請求項９】
前記スクリーンモジュールの第１辺縁方向への指紋センサの列が、同一の前記データ伝送線路に接続されており、
前記スクリーンモジュールの第２辺縁方向への指紋センサの列が、同一の前記ゲート制御線路に接続されており、
前記第１辺縁方向が前記第２辺縁方向に対して垂直である、請求項１〜８のいずれか１項に記載のスクリーンモジュール。
【請求項１０】
前記指紋センサが、ノーマリーオン状態を維持している、請求項１〜９のいずれか１項に記載のスクリーンモジュール。
【請求項１１】
前記指紋センサが、ノーマリーオフ状態を維持しており、前記スクリーンモジュールが、
ユーザからの前記スクリーンモジュール上のトリガ操作及び前記トリガ操作に対応するトリガ領域を検出するように構成されたトリガ検出機構をさらに含み、
前記トリガ検出機構が前記トリガ操作を検出した場合に、前記トリガ領域内の前記指紋センサが、前記ノーマリーオフ状態からオン状態に切り替わる、請求項１〜１０のいずれか１項に記載のスクリーンモジュール。
【請求項１２】
前記トリガ検出機構が、前記スクリーンモジュール内のタッチ機能アセンブリを含み、前記トリガ操作は、前記タッチ機能アセンブリによって検出されるタッチ操作である、請求項１１に記載のスクリーンモジュール。
【請求項１３】
前記トリガ検出機構が、圧力検出アセンブリを含み、前記トリガ操作は、前記圧力検出アセンブリによって検出される押圧操作である、請求項１１又は１２に記載のスクリーンモジュール。
【請求項１４】
請求項１〜１３のいずれか１項に記載のモバイルデバイスのスクリーンモジュールを含んでいるモバイルデバイス。
【請求項１５】
請求項１〜１３のいずれか１項に記載のモバイルデバイスのスクリーンモジュールに適用される指紋採取方法であって、
ユーザからの前記スクリーンモジュール上のトリガ操作を検出することと、
前記トリガ操作に対応するトリガ領域を確定することと、
前記トリガ領域に対応する前記スクリーンモジュールの位置に指紋センサが設けられている場合に、前記トリガ領域において指紋採取を行うことと
を含む、方法。
【請求項１６】
前記ユーザからの前記スクリーンモジュール上のトリガ操作を検出することが、
前記スクリーンモジュール内にタッチ機能アセンブリが含まれている場合に、前記ユーザからの前記スクリーンモジュール上のタッチ操作を検出することを含む、請求項１５に記載の方法。
【請求項１７】
前記ユーザからの前記スクリーンモジュール上のトリガ操作を検出することが、
前記スクリーンモジュール内に圧力検出アセンブリが含まれている場合に、前記ユーザからの前記スクリーンモジュール上の押圧操作を検出することを含む、請求項１５又は１６に記載の方法。
【請求項１８】
前記指紋センサが、前記スクリーンモジュールのコンテンツ表示領域に配置されている、請求項１５〜１７のいずれか１項に記載の方法。
【請求項１９】
請求項１〜１３のいずれか１項に記載のモバイルデバイスのスクリーンモジュールに適用される指紋採取装置であって、
ユーザからの前記スクリーンモジュール上のトリガ操作を検出するように構成された検出ユニットと、
前記トリガ操作に対応するトリガ領域を確定するように構成された確定ユニットと、
前記トリガ領域に対応する前記スクリーンモジュールの位置に指紋センサが設けられている場合に、前記トリガ領域において指紋採取を行うように構成された採取ユニットと
を含む、装置。
【請求項２０】
前記検出ユニットが、
前記スクリーンモジュール内にタッチ機能アセンブリが含まれている場合に、前記ユーザからの前記スクリーンモジュール上のタッチ操作を検出するように構成されたタッチ検出サブユニットを含む、請求項１９に記載の装置。
【請求項２１】
前記検出ユニットが、
前記スクリーンモジュール内に圧力検出アセンブリが含まれている場合に、前記ユーザからの前記スクリーンモジュール上の押圧操作を検出するように構成された圧力検出サブユニットを含む、請求項１９又は２０に記載の装置。
【請求項２２】
前記指紋センサが、前記スクリーンモジュールのコンテンツ表示領域に配置されている、請求項１９〜２１のいずれか１項に記載の装置。
【請求項２３】
コンピュータ上で動作する際に、請求項１５〜１８のいずれか１項に記載の指紋採取方法を該コンピュータに実行させるための、コンピュータプログラム。
【請求項２４】
コンピュータ読み取り可能記憶媒体であって、該コンピュータ読み取り可能記憶媒体に保存された請求項２３に記載のコンピュータプログラムを含む、コンピュータ読み取り可能記憶媒体。
【国際調査報告】
2017538172.tif 000017
2017538172.tif 000018
2017538172.tif 000019
2017538172.tif 000020